(57)【要約】【課題】インキ追従性と書き出し性の両者を兼備したボールペンチップを提供する。【解決手段】チップ先端のボール抱持室にボールを回転自在に抱持し、該ボール抱持室の底壁の中央に、チップ後端部の内孔に連通するインキ流通孔を有するボールペンチップにおいて、前記インキ流通孔を略多角形断面に形成するとともに、前記インキ流通孔の各辺に、前記インキ流通孔から放射状に延び、チップ後端部の内孔に達しないインキ流通溝を形成する。【選択図】          図１
2006231833.tif 000002
【特許請求の範囲】
【請求項１】
チップ先端のボール抱持室にボールを回転自在に抱持し、該ボール抱持室の底壁の中央に、チップ後端部の内孔に連通するインキ流通孔を有するボールペンチップにおいて、前記インキ流通孔を略多角形断面に形成するとともに、該インキ流通孔の各辺に、前記インキ流通孔から放射状に延び、チップ後端部の内孔に達しないインキ流通溝を形成したことを特徴とするボールペンチップ。
【請求項２】
前記インキ流通溝が、多角形断面であることを特徴とする請求項１に記載のボールペンチップ。
【請求項３】
前記インキ流通溝が、インキ流通孔と略同形の多角形断面であることを特徴とする請求項２に記載のボールペンチップ。
【請求項４】
前記インキ流通孔の外接円の径が、ボール径より大きい多角形断面であることを特徴とする請求項１ないし３の何れか１項に記載のボールペンチップ。
【発明の詳細な説明】
【技術分野】
【０００１】
本発明は、チップ先端のボール抱持室にボールを回転自在に抱持してなるボールペンチップに関する。
【背景技術】
【０００２】
従来から、ボール抱持室の底壁の中央に、インキ流通孔に連通するインキ流通溝を有するボールペンチップはよく知られている。こうしたボールペンチップにおいて、特表２０００−５１６８７０号「ボールペン用ベアリングチップ」や特公昭３６−５４２３号「ボールペンの製造方法」に、インキ流通孔を多角形断面にした構造が開示されている。
【０００３】
また、インキ流通溝には、実開平７−３１３８２号「ボールペン」のように、インキ流通孔に連通し、チップ後端部の内孔に達しないタイプもよく知られている。
【特許文献１】「特表２０００−５１６８７０号公報」
【特許文献２】「特公昭３６−５４２３号公報」
【特許文献３】「実開平７−３１３８２号公報」
【発明の開示】
【発明が解決しようとする課題】
【０００４】
前者のインキ流通孔とチップ後端部の内孔に連通するインキ流通溝は、チップ後端部からインキがスムーズに流れるのでインキ追従性に優れており、水性ボールペン等、インキ粘度が低いインキ用のボールペンチップとして好適である。
【０００５】
後者のインキ流通溝に連通し、チップ後端部の内孔に達しないインキ流通溝は、インキ流通溝にインキが溜まるため書き出し性に優れており、ボールの回転によってボールにインキを載せて吐出する、油性ボールペンや剪断減粘性インキ等、インキ粘度が比較的高いインキ用のボールペンチップとして好適である。
【０００６】
インキ追従性と書き出し性の両者を兼備するボールペンチップとして、インキ流通孔とチップ後端部の内孔に連通するインキ流通溝と、インキ流通孔に連通し、チップ後端部の内孔に達しないインキ流通溝を併設することも考えられるが、インキ流通孔の形成、インキ流通孔とチップ後端部の内孔に連通するインキ流通溝の形成、及びインキ流通溝に連通し、チップ後端部の内孔に達しないインキ流通溝と心出し作業が必要となるため、製造工程が煩雑になる問題があった。
【０００７】
本発明の目的は、インキ追従性と書き出し性の両者を兼備したボールペンチップを簡単な構造で提供することである。
【課題を解決するための手段】
【０００８】
本発明は、チップ先端のボール抱持室にボールを回転自在に抱持し、該ボール抱持室の底壁の中央に、チップ後端部の内孔に連通するインキ流通孔を有するボールペンチップにおいて、前記インキ流通孔を多角形断面に形成するとともに、前記インキ流通孔の各辺に、前記インキ流通孔から放射状に延び、チップ後端部の内孔に達しないインキ流通溝を形成する。
【０００９】
前記インキ流通孔及びインキ流通溝の外接円の径が、ボール径より大きい多角形断面である。
【００１０】
また、前記インキ流通溝が、多角形断面である。
【００１１】
また、前記インキ流通溝が、インキ流通孔と略同形の多角形断面である。
【００１２】
また、前記インキ流通孔の外接円の径が、ボール径より大きい多角形断面であることを特徴とする。
【発明の効果】
【００１３】
インキ追従性と書き出し性の両者を兼備したボールペンチップを提供することができた。
【発明を実施するための最良の形態】
【００１４】
次に図面を参照しながら、本発明のボールペンチップの実施例を説明するが、本発明は以下の実施例に限定されるものではない。
【実施例１】
【００１５】
図１、図２に示すボールペンチップ１は、チップ本体２のボール抱持室３の底壁４にボール９を載置し、チップ先端縁５を内側にかしめることより、ボール９を回転自在に抱持してある。また、ボール抱持室３の底壁４には、チップ後端部の内孔８に連通するインキ流通孔６と、このインキ流通孔６から放射状に延びるインキ流通溝７を形成してある。
【００１６】
インキ流通孔６は、略正三角形断面の形状としてあり、その各辺６ａに、チップ後端部の内孔８に達しないインキ流通溝７を形成してある。
【００１７】
インキ流通孔６を略正三角形断面にすることで、内接円ｒ１に比べ、インキ流路面積を多くすることができるとともに、外接円Ｒ１に比べてボールを安定して保持することができる。また、インキ流通孔６の角部６ａがチップ後端部の内孔８に連通するインキ流通溝となり、インキ流通孔６に連通し、チップ後端部の内孔８に達しないインキ流通溝７と併設することによって、異なる二種類の流通溝６ａ、７を有するボールペンチップ１を得ている。
【００１８】
図３、図４に示すボールペンチップ１１は、実施例１と同様に、チップ本体１２先端のボール抱持室１３の底壁１４にボール９を載置し、チップ先端縁５を内側にかしめることより、ボール９を回転自在に抱持してある。また、ボール抱持室１３の底壁１４には、チップ後端部の内孔１８に連通するインキ流通孔１６と、このインキ流通孔１６から放射状に延びるインキ流通溝１７を形成してある。
【００１９】
インキ流通孔１６は、略正三角形断面の形状としてあり、その各辺に、チップ後端部の内孔１８に達しないインキ流通溝１７を、インキ流通孔１６と同形の略正三角形断面に形成してある。
【００２０】
インキ流通孔１６を略正三角形断面にすることで、内接円ｒ２に比べ、インキ流路面積を多くすることができるとともに、外接円Ｒ２に比べてボールを安定して保持することができる。また、インキ流通孔１６の角部１６ａがチップ後端部の内孔１８に連通するインキ流通溝となり、インキ流通孔１６に連通し、チップ後端部の内孔１８に達しないインキ流通溝１７と併設することによって、異なる二種類の流通溝１６ａ、１７を有するボールペンチップ１１を得ている。
【００２１】
インキ流通孔１６とインキ流通溝１７を同形とすることで、製造工程において、打ち込むストロークを増減させるだけでよいので、インキ流通孔１６とインキ流通溝１７の製作ツールを同一形状にすることができるので、ツールの設計や交換在庫の管理等が容易になる。
【００２２】
本実施例では、便宜上、インキ流通孔を略正三角形断面にしてあるが、略三角形断面、略四角形断面、略五角形断面等、略多角形断面であればよいが、略正多角形断面にすることで、ボールに対してインキ流通孔の角部やインキ流通溝が均等に位置するので好ましい。
【００２３】
また、図示はしていないが、インキ流通孔の外接円Ｒ１、Ｒ２をボール径Ｌより大きい（Ｒ１＞Ｌ又はＲ２＞Ｌ）多角形断面にすることで、ボールを底壁に載置した状態で、インキ流通孔をボールで完全に閉鎖することがないので好ましい。また、インキ流路面積を増やすために、インキ流通溝の角部に丸みを形成してもよい。
【産業上の利用可能性】
【００２４】
油性インキ、剪断減粘性インキ、水性インキ等、インキの種類やインキ粘度に限定されることなく実施可能である。
【図面の簡単な説明】
【００２５】
【図１】実施例１のボールペンチップを示す一部省略した縦断面図である。
【図２】図１における矢印Ａ方向のボールを省略した平面図である。
【図３】実施例２のボールペンチップを示す一部省略した縦断面図である。
【図４】図３における矢印Ｂ方向のボールを省略した平面図である。
【符号の説明】
【００２６】
１、１１  ボールペンチップ
２  、１２  チップ本体
３  、１３  ボール抱持室
４、１４  底壁
５、１５  チップ先端
６、１６  インキ流通孔
７、１７  インキ流通溝
８  ボール
【図１】
2006231833.tif 000003
【図２】
2006231833.tif 000004
【図３】
2006231833.tif 000005
【図４】
2006231833.tif 000006